(57)【要約】【課題】間接活線作業において、別の間接活線作業用絶縁工具との干渉を容易に避けることができ、作業効率を向上させることができる絶縁ヤットコを提供する。【解決手段】操作レバー６及び回転軸３０が作業者によって回動させられると、第２の自在継ぎ手２７、補助操作棒７、第１の自在継ぎ手２６、及び可動把持片２３を介して把持部取付具５が第２の仮想平面（把持部の把持方向と平行な第１の仮想平面に対して直交し且つ主操作棒の長手方向と平行な仮想平面）に沿って揺動させられる。これにより、絶縁ヤットコ１の把持部２と別の間接活線作業用絶縁工具との干渉を容易に避けることができ、間接活線作業の作業効率を向上させることができる。【選択図】図１
2015015866.tif 000002
【特許請求の範囲】
【請求項１】
主操作棒の先端側に把持部取付具を介して取り付けられて被把持物を把持する把持部と、前記主操作棒の後端側に取り付けられて作業者によって操作される操作レバーと、前記把持部と前記操作レバーとを接続する補助操作棒と、を備える絶縁活線作業用絶縁操作棒であって、
前記把持部は、前記把持部取付具に固定された固定把持片と、前記固定把持片に対して回動可能に且つ接離可能に前記把持部取付具に取り付けられ、前記固定把持片と共に前記被把持物を把持する可動把持片と、を有し、
前記把持部取付具は、前記把持部の把持方向と平行な仮想平面を第１の仮想平面とすると、前記第１の仮想平面と直交し且つ前記主操作棒の軸方向と平行な第２の仮想平面に沿って揺動できるように、首振り継ぎ手を介して前記主操作棒の先端に取り付けられ、
前記補助操作棒は、一端が第１の自在継ぎ手を介して前記可動把持片に接続され、他端が第２の自在継ぎ手を介して前記操作レバーに接続され、
前記操作レバーは、前記第２の仮想平面に直交し且つ前記主操作棒に回動可能に取り付けられた回転軸に取り付けられており、
前記操作レバー及び前記回転軸が作業者によって回動させられると、前記第２の自在継ぎ手、前記補助操作棒、前記第１の自在継ぎ手、及び前記可動把持片を介して前記把持部取付具が前記第２の仮想平面に沿って揺動させられる、
ことを特徴とする絶縁活線作業用絶縁操作棒。
【請求項２】
前記回転軸は、作業者が一方の片手を掛けた状態で前記操作レバーを操作できると共に、作業者が一方の片手で前記操作レバーと共に把持できるようになっている、
ことを特徴とする請求項１に記載の絶縁活線作業用絶縁操作棒。
【請求項３】
前記主操作棒には安全限界つばが取り付けられ、
前記主操作棒のうちの前記安全限界つばと前記回転軸との間の部分には作業者が他方の片手で把持できる補助ハンドルが取り付けられた、
ことを特徴とする請求項２に記載の絶縁活線作業用絶縁操作棒。
【請求項４】
前記主操作棒の後端には、作業者の腕の付け根で前記主操作棒を支持できる後端支持部が取り付けられ、
前記回転軸、前記補助ハンドル、及び前記後端支持部の３箇所で前記主操作棒を支持できるようになっている、
ことを特徴とする請求項３に記載の絶縁活線作業用絶縁操作棒。
【発明の詳細な説明】
【技術分野】
【０００１】
この発明は、高圧の架空配電線等の間接活線作業で使用される間接活線作業用絶縁操作棒に関するものである。
【背景技術】
【０００２】
従来から、高圧の架空配電線等の間接活線作業においては、長い主操作棒の先端に取り付けた把持部で電線等の被把持物を把持する間接活線作業用絶縁操作棒（以下、絶縁ヤットコと略称する）が使用されている。この絶縁ヤットコは、主操作棒の後端側（作業者の手元側）に取り付けた操作レバーを作業者が操作することにより、操作レバーと把持部を接続する主操作棒とは別の補助操作棒を動かし、把持部を開閉操作できるようになっている（特許文献１参照）。
【０００３】
そして、このような絶縁ヤットコを使用した間接活線作業は、高所作業車のゴンドラ内の限られたスペース内において行われることが多く、しかも別の間接活線作業用絶縁工具（例えば、電線切断用絶縁工具）も併せて使用される場合が多い。
【先行技術文献】
【特許文献】
【０００４】
【特許文献１】特開２００７−４９８５２号公報
【発明の概要】
【発明が解決しようとする課題】
【０００５】
しかしながら、従来の絶縁ヤットコを使用した間接活線作業は、高所作業車のゴンドラ内の限られたスペース内において行われることが多く、しかも別の間接活線作業用絶縁工具（例えば、電線切断用絶縁工具）も併せて使用される場合が多い。そして、絶縁ヤットコを使用した間接活線作業において、別の間接活線作業用絶縁工具と絶縁ヤットコの把持部とが干渉し合うような事態が生じると、別の間接活線作業用絶縁工具と絶縁ヤットコの把持部との干渉をさけるために、作業者が絶縁ヤットコの姿勢や別の間接活線作業用絶縁工具の姿勢を変えざるを得なくなり、作業効率が著しく低下する。
【０００６】
そこで、本発明は、間接活線作業において、別の間接活線作業用絶縁工具との干渉を容易に避けることができ、作業効率を向上させることができる絶縁ヤットコの提供を目的とする。
【課題を解決するための手段】
【０００７】
本発明は、図１乃至図３に示すように、主操作棒３の先端側に把持部取付具５を介して取り付けられて被把持物を把持する把持部２と、前記主操作棒３の後端側に取り付けられて作業者によって操作される操作レバー６と、前記把持部２と前記操作レバー６とを接続する補助操作棒７と、を備える間接活線作業用絶縁操作棒１に関するものである。この発明において、前記把持部２は、前記把持部取付具５に固定された固定把持片２２と、前記固定把持片２２に対して回動可能に且つ接離可能に前記把持部取付具５に取り付けられ、前記固定把持片２２と共に前記被把持物を把持する可動把持片２３と、を有している。また、前記把持部取付具５は、前記把持部２の把持方向と平行な仮想平面を第１の仮想平面とすると、前記第１の仮想平面と直交し且つ前記主操作棒３の軸方向と平行な第２の仮想平面に沿って揺動できるように、首振り継ぎ手４を介して前記主操作棒３の先端に取り付けられている。また、前記補助操作棒７は、一端が第１の自在継ぎ手２６を介して前記可動把持片２３に接続され、他端が第２の自在継ぎ手２７を介して前記操作レバー６に接続されている。また、前記操作レバー６は、前記第２の仮想平面に直交し且つ前記主操作棒３に回動可能に取り付けられた回転軸３０に取り付けられている。そして、前記操作レバー６及び前記回転軸３０が作業者によって回動させられると、前記第２の自在継ぎ手２７、前記補助操作棒７、前記第１の自在継ぎ手２６、及び前記可動把持片２３を介して前記把持部取付具５が前記第２の仮想平面に沿って揺動させられるようになっている。
【発明の効果】
【０００８】
本発明の間接活線作業用絶縁操作棒（絶縁ヤットコ）によれば、把持部の把持方向（把持部の開閉方向）と平行な第１の仮想平面に対して直交し且つ主操作棒の長手方向と平行な第２の仮想平面内に沿って把持部を回動させ、別の間接活線作業用絶縁工具と把持部との干渉を容易に避けることができるため、間接活線作業の作業効率を向上させることができる。
【図面の簡単な説明】
【０００９】
【図１】本発明の実施形態に係る絶縁ヤットコを示す図であり、図１（ａ）が絶縁ヤットコの正面図であり、図１（ｂ）が絶縁ヤットコを側面側から見て示す作動状態図である。
【図２】首振り継ぎ手を示す図である。図２（ａ）が首振り継ぎ手の正面図であり、図２（ｂ）が図２（ｃ）に示す第２首振り継ぎ手部の左側側面図であり、図２（ｃ）が第２首振り継ぎ手部の平面図であり、図２（ｄ）が第１首振り継ぎ手部の平面図であり、図２（ｅ）が図２（ｆ）に示す第２首振り継ぎ手部の左側側面図であり、図２（ｆ）が第２首振り継ぎ手部の正面図であり、図２（ｇ）が第１首振り継ぎ手部の正面図である。
【図３】首振り継ぎ手の変形例を示す正面図である。
【図４】補助ハンドルを図１（ａ）のＡ１方向から見た図である。
【図５】後端支持部を示す図であり、図５（ａ）が後端支持部の正面図であり、図５（ｂ）が後端支持部の側面図である。
【図６】後端支持部の変形例を示す図である。
【発明を実施するための形態】
【００１０】
以下、本発明の実施形態を図面に基づき詳述する。
【００１１】
図１は、本発明の実施形態に係る間接活線作業用絶縁操作棒１（以下、絶縁ヤットコと略称する）を示す図である。この図１において、図１（ａ）が絶縁ヤットコ１の正面図であり、図１（ｂ）が絶縁ヤットコ１を側面側から見て示す作動状態図である。なお、図１（ｂ）は、絶縁ヤットコ１の把持部２の揺動前後の状態を明確に示すため、絶縁ヤットコ１の一部構成を省略し、絶縁ヤットコ１の構造を簡素化して示すものである。
【００１２】
図１に示す絶縁ヤットコ１は、主操作棒３と、この主操作棒３の先端に取り付けられた首振り継ぎ手４と、この首振り継ぎ手４を介して主操作棒３の先端側に取り付けられた把持部取付具５と、この把持部取付具５に取り付けられて被把持物（図示せず）を把持する把持部２と、主操作棒３の後端側に取り付けられて作業者によって操作される操作レバーと、把持部２と操作レバー６とを接続する補助操作棒７と、を備えている。
【００１３】
図１に示すように、主操作棒３は、絶縁性材料（例えば、エポキシ樹脂系強化プラスチック、ポリエステル樹脂系強化プラスチック）でパイプ状に形作られたものであり、表面が防水処理されている。この主操作棒３は、先端に首振り継ぎ手４が取り付けられ、この首振り継ぎ手４を介して把持部取付具５及び把持部２が取り付けられている。また、主操作棒３は、感電事故を防止するために、その先端から十分に離れた（安全限界距離として、６００ｍｍ以上離れた）中間部に安全限界つば８が嵌合固定され、作業者が把持して良い部分と作業者が把持してはならない部分との境界を安全限界つば８によって明確にしている。また、主操作棒３は、降雨時の対策として、首振り継ぎ手４と安全限界つば８との間に水切りつば１０が嵌合固定されている。なお、安全限界つば８及び水切りつば１０は、軟質性の合成ゴムで形成されている。
【００１４】
図１及び図２に示すように、首振り継ぎ手４は、アルミニウム合金で形作られており、主操作棒３の先端に固定された第１首振り継ぎ手部１１と、把持部取付具５の軸端部に固定された第２首振り継ぎ手部１２と、を有している。第１首振り継ぎ手部１１は、先端側の幅方向中央部（Ｙ方向中央部）に半円板形の係合突起１３が形成され、この係合突起１３が第２首振り継ぎ手部１２の先端側の幅方向中央部（Ｙ方向中央部）に形成された円板形の係合溝１４に回動できるように係合される。また、第１首振り継ぎ手部１１は、係合突起１３の幅方向（Ｙ方向）両側に回動規制溝１５が形成されている。そして、この回動規制溝１５には、第２首振り継ぎ手部１２の側壁１６が所定角度±θだけ回動できるように係合される。第２首振り継ぎ手部１２の側壁１６は、係合溝１４を挟むように一対形成され、その先端側が半円板形に形作られている。そして、この側壁１６は、半円板形の先端部分が円弧状の凹溝である回動規制溝１５に回動できるように係合される。
【００１５】
また、第１首振り継ぎ手部１１の係合突起１３と第２首振り継ぎ手部１２の一対の側壁１６，１６は、図１（ａ）に示すように組み合わされた状態において、回動支持ピン１７をＹ方向に挿通することができるピン穴１８が形成されている。そして、第１首振り継ぎ手部１１と第２首振り継ぎ手部１２は、回動支持ピン１７に支持された状態で相対回動できるようになっている。しかし、第２首振り継ぎ手部１２が第１首振り継ぎ手部１１に対して所定角度（±θ）回動すると、第２首振り継ぎ手部１２の先端側の側面２０（Ｘ−Ｙ座標面と平行な側面）が回動規制溝１５の端縁２１に当接し、第２首振り継ぎ手部１２の回動が阻止されるようになっている。
【００１６】
把持部取付具５は、把持部２の把持方向（把持部２の開閉方向）と平行な仮想平面を第１の仮想平面（Ｘ−Ｙ座標面）とすると、第１の仮想平面と直交し且つ主操作棒３の軸方向（Ｘ方向）と平行な第２の仮想平面（Ｘ−Ｚ座標面）に沿って揺動できるように、首振り継ぎ手４を介して主操作棒３の先端に取り付けられている。なお、把持部取付具５は、第２首振り継ぎ手部１２と一体化されており、第２首振り継ぎ手部１２と同様にアルミニウム合金で形作られている。
【００１７】
把持部２は、把持部取付具５に固定された固定把持片２２と、この固定把持片２２に対して回動可能に且つ接離可能に把持部取付具５に取り付けられて、固定把持片２２と共に被把持物（例えば、電線）を把持する可動把持片２３と、を有している。可動把持片２３は、先端側と基端側の中間部分が固定把持片２２及び把持部取付具５に支持ピン２４で回動可能に支持され、第１の仮想平面（Ｘ−Ｙ座標面）に沿って揺動できるようになっている。また、可動把持片２３は、基端側の連結アーム部２５が第１の自在継ぎ手２６を介して補助操作棒７の先端（一端）に接続されており、補助操作棒７が軸方向に沿って移動すると、支持ピン２４を回動支点として揺動する。
【００１８】
補助操作棒７は、先端（一端）が第１の自在継ぎ手２６を介して可動把持片２３に接続され、後端（他端）が第２の自在継ぎ手２７を介して操作レバー６に接続されており、操作レバー６が作業者によって押し下げられると（操作されると）、軸方向に沿って移動して、可動把持片２３を固定把持片２２に近づけるように揺動させ、可動把持片２３と固定把持片２２とで被把持物を把持するようになっている。なお、この補助操作棒７は、主操作棒３と同様に絶縁性材料によってパイプ状に形成されており、軸方向の中間部に水切りつば２８が嵌合固定されている。
【００１９】
操作レバー６は、その一端側が第２の仮想平面（Ｘ−Ｚ座標面）に直交し且つ主操作棒３に回動可能に取り付けられた回転軸３０に操作レバー支持部材３１を介して揺動可能に取り付けられると共に、操作レバー支持部材３１を介して回転軸３０と一体に回動できるようになっている。また、この操作レバー６は、中間部が第２の自在継ぎ手２７を介して補助操作棒７の他端に接続され、後端側が作業者の一方の片手で把持できるようになっている。なお、操作レバー６及び操作レバー支持部材３１は、アルミニウム合金で形作られている。また、操作レバー６は、作業者が手を離しても把持部２の把持状態を保持できる（ロック状態にできる）把持ロック機構を有すると共に、把持ロック機構のロック状態を解除することができるロック解除機構を有している。
【００２０】
回転軸３０は、一端側が第２の仮想平面に直交し且つ主操作棒３に回動可能に取り付けられており、操作レバー６及び操作レバー支持部材３１と一体に回動できるようになっている。そして、この回転軸３０は、作業者の把持部分となる外表面が滑り止め効果のあるゴム等で覆われている。また、この回転軸３０は、作業者が一方の片手を掛けた状態で操作レバー６を操作できるようになっている。
【００２１】
以上のように構成された本実施形態の絶縁ヤットコ１は、操作レバー６、操作レバー支持部材３１及び回転軸３０が作業者によって回動させられると、主操作棒３の先端に首振り継ぎ手４を介して取り付けられた把持部取付具５が第２の自在継ぎ手２７、補助操作棒７、第１の自在継ぎ手２６、及び可動把持片２３を介して第２の仮想平面（Ｘ−Ｚ座標面）に沿って揺動させられる。これにより、本実施形態の絶縁ヤットコ１は、把持部２が把持部取付具５と共に第２の仮想平面（Ｘ−Ｚ座標面）に沿って揺動させられ、別の間接活線作業用絶縁工具と把持部２との干渉を容易に避けることができると共に、把持部２の細かな姿勢変化（首振り継ぎ手４による揺動）が可能になるため、間接活線作業の作業効率を向上させることができる。
【００２２】
また、以上のように構成された本実施形態の絶縁ヤットコ１において、回転軸３０、操作レバー支持部材３１、操作レバー６、第２の自在継ぎ手２７、補助操作棒７、第１の自在継ぎ手２６、及び可動把持片２３は、主操作棒３の先端に首振り継ぎ手４を介して取り付けられた把持部取付具５を首振り継ぎ手４の回動支持ピン１７を揺動支点として揺動させるリンク機構として機能し、補助操作棒７が主操作棒３とほぼ平行になるように移動する（図１（ａ），（ｂ）参照）。そして、本実施形態の絶縁ヤットコは、把持部２及び把持部取付具５の最大揺動角度が操作レバー６の操作によって可動把持片２３を把持方向へ回動させることができる角度範囲内であれば、把持部２で被把持物を把持した後に、把持部２を第２の仮想平面（Ｘ−Ｚ座標面）に沿って揺動させることができることはもちろんのこと、把持部２を第２の仮想平面（Ｘ−Ｚ座標面）に沿って揺動させた後に、被把持物を把持部２で把持することができる。なお、図３に示すように、本実施形態の絶縁ヤットコ１において、第２首振り継ぎ手部１２を第１首振り継ぎ手部１１に対して９０°揺動させる場合には、把持部２で被把持物を把持した後、把持部２を第２の仮想平面（Ｘ−Ｚ座標面）に沿って揺動させる。
【００２３】
また、図１（ａ）及び図４に示すように、本実施形態の絶縁ヤットコ１は、作業者の片手で把持できる補助ハンドル３２が主操作棒３の安全限界つば８と回転軸３０との間の位置に取り付けられている。この補助ハンドル３２は、主操作棒３に嵌合固定される円筒状の取付部材３３と、この取付部材３３に一端部が固定された把持部分３４と、を有している。取付部材３３は、主操作棒３にスライド移動できるように嵌合され、ネジ等の固定手段によって主操作棒３の適当な位置に固定されるようになっている。把持部分３４は、平面視した形状（図１（ａ）のＡ１方向から見た形状）が略コ字形状となるように形作られ、その一端部が取付部材３３に固定され、外表面が滑り止め効果のある軟質ゴム部材で覆うわれている。
【００２４】
また、図１（ａ）及び図５に示すように、本実施形態の絶縁ヤットコ１は、後端支持部３５が主操作棒３の後端側にツイストロック金具３６を介して着脱できるように取り付けられる。この後端支持部３５は、作業者の腕の付け根に密着するように円弧状に湾曲させた薄板状の肩当て部材３７と、この肩当て部材３７の中央部に形成された支持軸３８と、この支持軸３８を回動可能に支持する肩当て部材支持部４０と、この肩当て部材支持部４０の先端に取り付けられたツイストロック金具雄型４１と、を有している。このような後端支持部３５は、ツイストロック金具雄型４１の突起４２を主操作棒３の後端に固定されたツイストロック金具雌型４３の溝４４に係合することにより、主操作棒３の後端側に着脱できるように取り付けられる。なお、後端支持部３５の肩当て部材３７及び支持軸３８は、アルミニウム合金によって形成されている。
【００２５】
このように、本実施形態の絶縁ヤットコ１は、作業者の一方の片手で操作レバー６及び回転軸３０を把持でき、作業者の他方の片手で補助ハンドル３２を把持でき、作業者の腕の付け根に密着する後端支持部３５で主操作棒３の後端側を支持できるため、作業者が主操作棒３を３箇所で支持できることになり、作業者によって安定した状態で保持される。したがって、本実施形態の絶縁ヤットコ１は、間接活線作業の作業効率を向上させることができ、作業者の疲労を軽減することが可能になる。
【００２６】
（後端支持部の変形例）
図６は、後端支持部３５の変形例を示す図である。この図６に示す後端支持部３５は、作業者の腕の付け根に挟み込まれるようにして支持される棒状体４５と、この棒状体４５を回動可能に支持する棒状体支持部４６と、この棒状体支持部４６の先端に取り付けられたツイストロック金具雄型４１と、を有している。このような後端支持部３５は、ツイストロック金具雄型４１の突起４２を主操作棒３の後端に固定されたツイストロック金具雌型４３の溝４４に係合することにより、主操作棒３の後端側に着脱できるように取り付けられ、主操作棒３を軸方向（Ｘ方向）に沿って延長する効果を有している（図１（ａ）参照）。
【符号の説明】
【００２７】
１  間接活線作業用絶縁操作棒（絶縁ヤットコ）
２  把持部
３  主操作棒
４  首振り継ぎ手
５  把持部取付具
６  操作レバー
７  補助操作棒
８  安全限界つば
２２  固定把持片
２３  可動把持片
２６  第１の自在継ぎ手
２７  第２の自在継ぎ手
３０  回転軸
３２  補助ハンドル
３５  後端支持部
【図１】
2015015866.tif 000003
【図２】
2015015866.tif 000004
【図３】
2015015866.tif 000005
【図４】
2015015866.tif 000006
【図５】
2015015866.tif 000007
【図６】
2015015866.tif 000008